(57)【要約】【課題】エレベータの自動点検運転を行う際にも、一般利用者の利便性を阻害しないで点検作業を行うことを可能とするエレベータ点検装置を提供する。【解決手段】保守装置１０から、エレベータ制御部３または監視装置９へ点検運転指令が発せられるに応じて点検運転を開始し、この点検運転中にエレベータ１が呼びに応答できない状態で乗り場呼び登録装置７ａ，７ｂを押された場合、そのときの入力信号を乗り場呼び登録装置７ａ，７ｂで応答できる状態になるまで保持する。【選択図】図３
2005314082.tif 000002
【特許請求の範囲】
【請求項１】
エレベータを制御する制御部と、前記制御部に接続され、電話回線を介して監視センタに接続される監視部と、これらのエレベータ制御部および監視部の少なくとも一方に接続され、エレベータの保守を行う保守部と、乗かご内に設置されるかご内運転盤または前記保守部から出力される点検運転指令に応じて、エレベータ点検運転を開始し、前記エレベータ点検運転中に、乗り場に設けられる乗り場呼び登録装置から呼び指令が入力された場合、前記エレベータ点検運転を中断して平常運転を行い、この平常運転の終了後に前記エレベータ点検運転を再開する点検運転手段を備えたエレベータ点検装置とを有するエレベータシステムにおいて、
前記エレベータ点検運転中に、前記エレベータ制御部が乗り場呼びに応答しない運転状態にあるときに、前記乗り場呼び登録装置から呼び指令が入力された場合に、前記乗り場呼び指令の入力により前記エレベータ点検運転を中断する手段と、前記乗り場呼び指令の入力を保持する手段と、前記エレベータが乗り場呼びに応答可能な運転状態になったときにエレベータに入力信号を送信する手段を備えたエレベータの乗り場呼び入力装置を備えたことを特徴とするエレベータ点検装置。
【請求項２】
前記乗り場に、前記エレベータ点検運転中であることを表示するとともに、前記乗り場呼び指令が入力されたときから前記エレベータ点検運転を中断し、平常運転になるまで、入力された呼びに応答する旨を表示する表示部を備えたことを特徴とする請求項１に記載のエレベータ点検装置。
【発明の詳細な説明】
【技術分野】
【０００１】
本発明は、エレベータの点検を行うエレベータ点検装置に関する。
【背景技術】
【０００２】
従来、エレベータの点検は専門技術者が行い、点検を行う前に各階の乗り場近傍に点検中の点検札を掲示してエレベータが点検中は使用できないことを示していた。
【０００３】
これは、各階のかご停止位置やドアの開閉状態などの点検を測定器や五感にて点検するために一般利用者による点検作業の妨害を防ぐためであった。
【０００４】
また、一般に、専門技術者は点検のみでなく、各階のエレベータドアの清掃作業やかご内の清掃作業も行っていたため、従来の方法ではエレベータの点検作業、清掃作業時は時間がかかり、一般利用者は、その間エレベータを使用できなくなり、一般利用者へ多大な不便をかける結果となっていた。
【０００５】
よって近年では、エレベータに自動点検運転を行わせることでエレベータの不稼動時間を低減し、かご呼び、乗り場呼びを検出したときに自動点検運転を中断する機能を有することで、利便性を向上させる技術が提案されている（例えば特許文献１参照）。
【０００６】
【特許文献１】特許３０４１０９５号公報（段落番号、、、図４、図６）
【発明の開示】
【発明が解決しようとする課題】
【０００７】
ところで、上記従来技術にあって、特許文献１で提案されているものでは、エレベータの自動点検を中断する際には、エレベータが乗り場呼びに応答できる状態を前提としている。しかし、点検運転には各種状態があり、ブレーキや塔内の安全装置の動作状態及び位置を点検する場合には低速運転に切り替える必要がありこのときエレベータは乗り場呼びが入力されても応答しない状態にあり、入力された信号は消去されてしまう。
【０００８】
このように乗り場呼びに応答しない状態で自動点検運転を実施している場合は、乗り場呼びの入力を検出して点検運転を中断しても乗り場呼びが登録されていないため、再度乗り場呼びの入力を行わなければならず、一般利用者の利便性を考慮したものとはいえなかった。
【０００９】
本発明は、上記問題を解決するためになされたもので、その目的は、エレベータの自動点検運転を行う際に乗り場呼びに応答しない状態で乗り場呼びが入力されたときに、乗り場呼びの入力装置で信号を保持することにより、自動点検運転において一般利用者の利便性を阻害しないで点検作業を行うことを可能とするエレベータ点検装置を提供することにある。
【課題を解決するための手段】
【００１０】
上記目的を達成するために本発明では、エレベータを制御する制御装置と、前記制御装置に接続されかご内に設置されるかご内運転盤と、乗り場に設置され前記制御装置に接続されかごの停止位置を表示する乗り場表示装置と、乗り場に設置され前記制御装置と接続されたかごを呼び寄せる乗り場呼び登録装置と、前記制御装置と接続されエレベータを監視する監視装置と、前記制御装置または前記監視装置に接続されエレベータの保守を行う保守装置と、前記監視装置と接続される電話回線と、前記電話回線を介して接続される監視センタからなるエレベータ点検装置において、前記保守装置もしくは前記かご内運転盤から、前記制御装置または前記監視装置へ点検運転指令が発せられるに応じて点検運転を開始し、前記点検運転によるエレベータの状態に従い乗り場呼びに対する応答が不可となった場合、乗り場呼び登録装置により乗り場呼び入力指令を保持することにより、エレベータの状態にかかわらず前記乗り場呼び登録装置の表示を保持し、エレベータが乗り場呼びに応答可能な状態になったときに前記制御装置に入力指令を送信することを特徴とする。
【００１１】
本発明によれば、このように自動点検運転中でエレベータが乗り場呼びに応答できない状態で乗り場呼び登録装置を押した場合でも、一般利用者は平常状態と同様の使い勝手で利便性を阻害されることなくいつでも快適にエレベータを利用可能である。
【発明の効果】
【００１２】
本発明では、エレベータの自動点検運転による点検運転状態にかかわらず、乗り場呼び釦が押された場合の表示や応答状態を同一にすることにより、一般利用者に不便をかけることがない点検運転を提供できる。
【発明を実施するための最良の形態】
【００１３】
以下、本発明のエレベータ点検装置の実施の形態を図に基づいて説明する。
【００１４】
図１は本発明の一実施の形態に係わるエレベータ点検装置を表すブロック図、図２は本発明であるエレベータ点検装置の動作を示したフローチャート、図３はエレベータ点検装置の点検動作中断時の動作を示したフローチャートである。
【００１５】
図１に示す、エレベータ１は、図示しない昇降路内を昇降する乗りかご２と、この乗りかご２などの制御を行うエレベータ制御部３とを有している。乗りかご２内にかご内運転盤４が設置され、下方の乗り場５ａに、乗りかご２の停止位置を表示する乗り場表示部６ａと、乗りかご２を呼び寄せる乗り場呼び指令を出力する乗り場呼び登録装置７ａとが設置され、上方の乗り場５ｂにも乗りかご２の停止位置を表示する乗り場表示部６ｂとが乗りかご２を呼び寄せる乗り場呼び指令を出力する乗り場呼び登録装置７ｂとが設置されており、これらのかご内運転盤４、乗り場表示部６ａ、６ｂ、及び乗り場呼び登録装置７ａ、７ｂがそれぞれエレベータ制御部３と接続されている。
【００１６】
このエレベータ制御部３は、エレベータ１の平常運転時にかご内運転盤４および乗り場呼び登録装置７ａ、７ｂからの出力信号を検出して、図示していないモータやロープを制御して乗かご２を昇降させるとともに、乗り場表示部６ａ、６ｂに乗かご２の位置を表示しながらエレベータ１の運行制御を行っている。
【００１７】
そして、本実施形態のエレベータ点検装置８は、エレベータ制御部３に接続され、エレベータ１を監視する監視部９と、これらのエレベータ制御部３および監視部９に接続され、エレベータ１の保守を行う保守部１０を備えている。
【００１８】
また、エレベータ制御部３には、監視部９の機能を制御するソフトウェアが組み込まれるとともに、かご内運転盤４または保守部１０から出力される点検運転指令に応じて、エレベータ点検運転を開始する図示しない運転制御手段が設けられている。この運転制御手段の制御により、エレベータ点検運転中に、乗り場呼び登録装置７ａ、７ｂから乗り場呼び指令が出力された場合、エレベータ点検運転を中断して平常運転を行い、この平常運転の終了後にエレベータ点検運転を自動的に再開するようになっている。
【００１９】
監視部９には、電話回線１１を介して監視センタ１２が接続されており、エレベータ１の異常が発生した場合、監視部９は電話回線１１を介して監視センタ１２に通報する。さらに、監視部９にてエレベータ点検運転の結果からエレベータ１の状態を解析し、この解析結果を電話回線１１を介して監視センタ１２に通報するようになっている。
【００２０】
また、近年のエレベータはマイコン化されているため、専門技術者１３は保守部１０をエレベータ制御部３および監視部９の少なくとも一方に接続してエレベータ１の異常状態を確認するようになっている。
【００２１】
この実施形態にあっては、図２に示す処理手段にしたがってエレベータ１の点検を行うようになっている。図２に示すフローチャートによる処理は周期的に、例えば１秒毎に実行される。まずエレベータ点検運転の指令がない場合に平常運転を行い、手順Ｓ１として専門技術者１３が保守部１０を監視部９に接続して保守部１０より点検運転指令を指示すると、監視部９は点検運転スタートであることをチェックし、手順Ｓ２としてエレベータ制御部３によりエレベータ点検運転をスタートして各乗り場５ａ、５ｂの階床レベルや、図示しないドアの開閉状況などを点検し、手順Ｓ３としてエレベータ点検運転が終了したかを確認する。
【００２２】
その結果、エレベータ点検運転が終了したとき、平常運転に復帰する。一方、エレベータ点検運転が終了していない場合、手順Ｓ４として乗り場呼び登録装置７ａ、７ｂの操作をチェックし、このときに例えば乗り場呼び登録装置７ａが操作されると、手順Ｓ５としてエレベータ点検運転を中断し、手順Ｓ６として平常運転を行い呼びに応答する。次に、手順Ｓ７として利用客の有無により平常運転が終了したかをチェックし、この平常運転の終了後に、手順Ｓ２に戻りエレベータ点検運転を再開するようになっている。
【００２３】
このようにしてエレベータ点検運転を終了したならば、監視部９はエレベータ制御部３より点検運転結果を読み出して正常・異常を解析し、専門技術者１４が監視部９に保守部１０を接続して上記の点検運転の解析結果を読み出し点検運転結果の確認を行う。このとき、エレベータ１に異常が発生し、監視部９で解析した結果が異常である場合には、監視部９より電話回線４を介して監視センタに通報するとともに、専門技術者１４は適切な処置を行うようになっている。
【００２４】
次に図３に示すフローチャートにより手順５のエレベータ点検運転の中断処理の詳細
を説明する。まず手順Ｓ４において乗り場呼びを検出したとき、手順５１としてエレベータ１が乗り場呼びに応答できる場合は、エレベータ制御部３に対して手順Ｓ５３として点検中断指令を出力し、手順Ｓ５４として乗り場呼び指令を送信する。
【００２５】
点検運転には各種状態があり、図示しないブレーキや塔内の安全装置の動作状態及び位置を点検する場合には低速運転に切り替える必要があり、このときエレベータ制御部１は乗り場呼び登録装置７ａ、７ｂから乗り場呼び指令が入力されても応答しない状態にある。
【００２６】
手順Ｓ４において乗り場呼びを検出したとき、手順５１として低速運転中で乗り場呼びに応答できない状態にある場合は、手順Ｓ５４として乗り場呼び登録装置７ａによる入力指令を保持した後、手順Ｓ５５としてエレベータ制御部３に対して点検中断指令を出力する。それにより平常運転になって乗り場呼びに応答できる状態になったか否かを手順Ｓ５６として判断し、平常運転になった場合は手順Ｓ５３としてエレベータ制御部３に対して手順Ｓ５４にて保持した乗り場呼び指令を送信する。
【００２７】
なお、手順Ｓ５４で乗り場呼び指令を保持している間は乗り場釦を点灯させておくことで、利用客に対して通常の運転状態と同様の使い勝手を提供する。
【００２８】
以上説明したように、本実施の形態では点検運転中でエレベータが乗り場呼びに応答できない状態でも、乗り場呼び登録装置で入力信号を保持することにより、点検運転を中断したあと、再度乗り場呼びを登録する必要がなく、利用者の利便性を考慮した点検運転を行うことができる。
【図面の簡単な説明】
【００２９】
【図１】本発明の一実施の形態を表すブロック図である。
【図２】本発明の一実施の形態を表すフローチャートである。
【図３】本発明の一実施の形態を表すフローチャートである。
【符号の説明】
【００３０】
１  エレベータ
２  乗りかご
３  エレベータ制御部
４  かご内運転盤
５ａ，５ｂ  乗り場
６ａ，６ｂ  乗り場表示部
７ａ，７ｂ  乗り場呼び登録装置
８  エレベータ点検装置
９  監視部
１０  保守部
１１  電話回線
１２  監視センタ
１３  専門技術者
【図１】
2005314082.tif 000003
【図２】
2005314082.tif 000004
【図３】
2005314082.tif 000005